(57)【要約】【課題】  十分な強度を有し、側板の間隔調整も容易で、作業性も向上させる。【解決手段】  型枠保持部２０は、角形鋼管からなる第１及び第２のＬ形部材２１，２２からなる。第１のＬ形部材２１は、水平方向に延びる第１の水平枠３１及びこの第１の水平枠３１の一端から垂直上方に延びる第１の垂直枠３２を一体に形成してなる。第２のＬ形部材２１は、第１の水平枠３１の他端側に対して一端側がスライド自在に同軸嵌合された水平方向に延びる第２の水平枠３３及びこの第２の水平枠３３の他端から垂直上方に延びる第２の垂直枠３４を一体に形成してなる。第１及び第２の水平枠３１，３３には、ボルト２３が同軸的に貫通し、このボルト２３には、ナット２４が螺合される。ボルト２３とナット２４によって第１及び第２の垂直枠３２，３４の間隔が調整されることにより、第１及び第２の垂直枠３２，３４が、梁形成用の一対の側板５，６を両側から挟持する。【選択図】  図１
2006219939.tif 000002
【特許請求の範囲】
【請求項１】
コンクリート建造物の梁形成用の型枠を保持する梁形成用の型枠保持具であって、
角形鋼管からなり、水平方向に延びる第１の水平枠及びこの第１の水平枠の一端から垂直上方に延びる第１の垂直枠を一体に形成してなる第１のＬ形部材と、
角形鋼管からなり、前記第１の水平枠の他端側に対して一端側がスライド自在に同軸嵌合された水平方向に延びる第２の水平枠及びこの第２の水平枠の他端から垂直上方に延びる第２の垂直枠を一体に形成してなる第２のＬ形部材と、
前記第１及び第２の水平枠を同軸的に貫通するボルトと、
前記ボルトに螺合されるナットと
を備え、
前記第１及び第２の水平枠は、梁形成用の底板の下側に配置され、
前記ボルトとナットによって前記第１及び第２の垂直枠の間隔が調整されることにより、前記第１及び第２の垂直枠が、梁形成用の一対の側板を両側から挟持する
ものであることを特徴とするコンクリート建造物の梁形成用の型枠保持具。
【請求項２】
前記第１の水平枠と前記第２の水平枠との間の隙間に挿入される楔を更に備えたことを特徴とする請求項１記載のコンクリート建造物の梁形成用の型枠保持具。
【請求項３】
支柱の上部にコンクリート建造物の梁の延びる方向に所定間隔で前記梁の延びる方向に直交する方向で複数の第１のばた材を配置する工程と、
前記複数の第１のばた材の下側に前記第１のばた材と直交する方向に複数の第２のばた材を張架する工程と、
前記第２のばた材に請求項１又は２記載の型枠保持具を前記梁の延びる方向に所定間隔で、前記第１及び第２の垂直枠が下向きとなるように載置する工程と、
前記第１のばた材の上に前記梁を形成するための底板及び両側板を建て込む工程と、
前記型枠保持具の第１及び第２の垂直枠が上向きとなるように前記型枠保持具を上下反転させると共に、前記第１のばた材の上に建て込まれた両側板を前記第１及び第２の垂直枠で両側から挟持するように前記型枠保持具のボルトにナットを締結する工程と、
前記底板及び両側板で囲まれた空間にコンクリートを充填する工程と
を備えたことを特徴とするコンクリート建造物の梁形成方法。
【発明の詳細な説明】
【技術分野】
【０００１】
本発明は、コンクリート建造物の梁形成方法及び梁形成用の型枠を保持する型枠保持具に関する。
【背景技術】
【０００２】
コンクリート建造物の建造に使用される型枠として、従来より、木製の型枠パネルが利用されている。
【０００３】
木製の型枠パネルは、厚さ１２ｍｍ程度の型枠用合板をせき板とし、その裏面周縁部や中間部に補強用のさん木を釘打ちしたもの（合板パネル）が一般的である。この合板パネルを縦横に連設するにあたっては、隣接する合板パネルの周縁部のさん木同士を互いに釘打ちして接合している。この種の合板パネルは、通常、型枠用合板の規格寸法に合わせたサイズで用意されるが、その規格寸法に合わない部分については、現場にて作業者が適宜寸法にカットし、それにさん木を組み付けて建て込んでいる。
【０００４】
これらの型枠パネルは、セパレータなどの間隔保持具によって一定の間隔に保持されるとともに、コンクリートの側圧によって変形するのを防ぐため、外側に縦ばた材や横ばた材を格子状にあてがい、これらとセパレータとをフォームタイなどの緊結具で締め付けるようにして建て込まれる。縦ばた材や横ばた材には、通常、木製の角材や鋼製の単管（丸パイプ）などが利用される。
【０００５】
このような型枠パネルを使用して梁の部分を形成する場合には、型枠をフォークリフトや支柱等でＨ形鋼梁や鉄筋を内部に収容するように持ち上げた後でなければセパレータを設置することはできない。このため、セパレータの設置作業が極めて大変であるという問題がある。特に、Ｈ形鋼梁のウェブ部分の予め穿設された孔に整合するように現場で側板に孔を穿設する作業や、両孔にスペーサやフォームタイを貫通させて締結する作業は極めて煩雑で時間を要する作業であった。
【０００６】
そこで、角形鋼管に楔孔を所定間隔で配設してなる水平な基枠に、一対のＬ字状枠を垂直枠部を内側にしてスライド自在に介装し、垂直枠部には補強リブを設けたせき板保持装置が提案されている（特許文献１）。このせき板保持装置によれば、梁幅に設定された両側板は、リブで補強された垂直枠部にばた材を介して保持され、更に両側板は、基枠に楔で固定された垂直枠部にボルトで締結されているので、コンクリートの側圧で変形するようなことがないという利点がある。このせき板保持装置に保持されてスペーサやセパレータを有しない梁形成用の型枠は鉄筋や鉄骨梁を収容する所望位置に単に持ち上げ配置されるだけでよい。
【特許文献１】実開平５−８７１４６号公報、段落０００６〜０００９、図１
【発明の開示】
【発明が解決しようとする課題】
【０００７】
しかし、上述した従来のせき板保持装置では、Ｌ字状枠を基枠に対して楔だけで固定するようにしているので、強度が十分でなく、側板の間隔も段階的になってしまう。また、従来のせき板保持装置では、垂直枠部と側板とをボルトで締結する必要があるため、十分な作業性向上には至っていない。
【０００８】
本発明は、このような事情に鑑みなされたもので、十分な強度を有し、側板の間隔調整も容易で、十分な作業性の向上を図ることができるコンクリート建造物の梁形成方法及び梁形成用の型枠保持具を提供することを目的とする。
【課題を解決するための手段】
【０００９】
本発明に係るコンクリート建造物の梁形成用の型枠保持具は、角形鋼管からなり、水平方向に延びる第１の水平枠及びこの第１の水平枠の一端から垂直上方に延びる第１の垂直枠を一体に形成してなる第１のＬ形部材と、角形鋼管からなり、前記第１の水平枠の他端側に対して一端側がスライド自在に同軸嵌合された水平方向に延びる第２の水平枠及びこの第２の水平枠の他端から垂直上方に延びる第２の垂直枠を一体に形成してなる第２のＬ形部材と、前記第１及び第２の水平枠を同軸的に貫通するボルトと、前記ボルトに螺合されるナットとを備え、前記第１及び第２の水平枠は、梁形成用の底板の下側に配置され、前記ボルトとナットによって前記第１及び第２の垂直枠の間隔が調整されることにより、前記第１及び第２の垂直枠が、梁形成用の一対の側板を両側から挟持するものであることを特徴とする。
【００１０】
また、本発明に係るコンクリート建造物の梁形成方法は、支柱の上部にコンクリート建造物の梁の延びる方向に所定間隔で前記梁の延びる方向に直交する方向で複数の第１のばた材を配置する工程と、前記複数の第１のばた材の下側に前記第１のばた材と直交する方向に複数の第２のばた材を張架する工程と、前記第２のばた材に上述した型枠保持具を前記梁の延びる方向に所定間隔で、前記第１及び第２の垂直枠が下向きとなるように載置する工程と、前記第１のばた材の上に前記梁を形成するための底板及び両側板を建て込む工程と、前記型枠保持具の第１及び第２の垂直枠が上向きとなるように前記型枠保持具を上下反転させると共に、前記第１のばた材の上に建て込まれた両側板を前記第１及び第２の垂直枠で両側から挟持するように前記型枠保持具のボルトにナットを締結する工程と、前記底板及び両側板で囲まれた空間にコンクリートを充填する工程とを備えたことを特徴とする。
【発明の効果】
【００１１】
本発明に係る型枠保持具によれば、第１及び第２のＬ形部材がそれらの水平枠を同軸に貫通するボルトとこれに締結されるナットとで垂直枠の間隔を調整され、垂直枠は、側板に締結されることなく、ボルトとナットの両側板に対する挟持力によって両側板を保持するようにしているので、十分な強度を有し、間隔調整が容易で、作業性を大幅に向上させることができるという効果を奏する。
【００１２】
また、本発明に係るコンクリート建造物の梁形成方法によれば、支柱の上部に設置された第１のばた材の下に第２のばた材を格子状に張架し、第２のばた材状に所定の間隔で上述した型枠保持具を垂直枠が下向きとなるように載置していき、その後、第１のばた材上に底板及び両側板を建て込み、型枠保持具を上下反転させてボルトにナットを締結していくという作業で梁形成用の型枠の建て込みが完了する。本発明では、側板に対する垂直枠のボルト締めが無いため、作業性が極めて良く、工数削減によるコスト低減を図ることができる。
【発明を実施するための最良の形態】
【００１３】
図１は本発明の一実施形態に係るコンクリート建造物の梁形成用型枠の建て込み状態を示す一部切欠した斜視図、図２は同じく断面図である。また、図３は同梁形成用の型枠保持具を示す斜視図である。
【００１４】
コンクリート建造物１の天井２の一部に下方に突出する梁３を形成するための型枠は、底板４と、この底板４の両端上部に垂直に添設された一対の側板５，６とからなる。これら底板４及び側板５，６は、それぞれ厚さ１２ｍｍ程度の合板からなるせき板７，８，９と、これらせき板７〜９の裏面周縁部及び中間部に釘打ちされた補強用のさん木１０，１１，１２とからなる。側板５，６の上端部には、天井２を形成するための同種の他の型枠１３，１４が水平に添設されている。
【００１５】
底板４は、支柱１５の上部に配置された１２０ｍｍ角程度の複数の第１のばた材１６の上に載置されている。第１のばた材１６は、梁３の延びる方向に所定間隔で梁３の延びる方向に対して直交する方向に設置されている。この第１のばた材１６の下側に複数の第１のばた材を連絡するように第１のばた材１６と直交する方向に一対の第２のばた材１７が所定間隔を空けて配置されている。第２のばた材１７は、ボルト１８及びナット１９により第１のばた材１６に固定されている。
【００１６】
この第１のばた材１６の上には、本発明に係る型枠保持具２０が梁３の形成方向に所定間隔で配置されている。型枠保持具２０は、角形鋼管からなる第１のＬ形部材２１及び第２のＬ形部材２２と、両Ｌ形部材２１，２２の間隔を調整すると共に型枠を締め付けるボルト２３及びナット２４と、両Ｌ形部材２１，２２の間に挿入される楔２５及びこれをＬ形部材２１に繋げておく鎖２６とを備えて構成されている。第１のＬ形部材２１は、水平方向に延びる第１の水平枠３１と、この水平枠３１の一端から垂直上方に延びる第１の垂直枠３２とを溶接などで一体に形成してなる。第２のＬ形部材２２は、水平方向に延びる第２の水平枠３３と、この水平枠３３の一端から垂直上方に延びる第２の垂直枠３４とを溶接などで一体に形成してなる。第２の水平枠３３は、第１の水平枠３１の内側にスライド自在に収容可能な断面形状を有し、ボルト２３は、これら水平枠３１，３３に対して同軸貫通している。従って、ボルト２３に対してナット２４を締め込んでいくことで垂直枠３２，３４の間隔を調整することができる。楔２５は、第１及び第２水平枠３１，３３の間のガタを無くして垂直枠３２，３４が非平行になるのを防止する。
【００１７】
なお、天井２の型枠１３，１４は、支柱３５上に配置された第３のばた材３６に支持されている。
【００１８】
次に、上述した型枠保持具２０を使用したコンクリート建造物の梁形成方法について説明する。
【００１９】
図４は、本実施形態に係るコンクリート建造物の梁形成方法を工程順に示す図である。
【００２０】
まず、同図（ａ）に示すように、支柱１５の上部に第１ばた材１６を設置する。第１のばた材１６は、梁３の延びる方向に所定間隔で梁３の延びる方向に直交する方向で複数設置する。
【００２１】
次に、同図（ｂ）に示すように、複数の第１のばた材１６の下側に第１のばた材１６と直交する方向に一対の第２のばた材１７を一定の間隔を空けて平行に設置する。第２のばた材１７は、第１のばた材１６にボルト１８及びナット１９で固定する。
【００２２】
続いて、同図（ｃ）に示すように、第２のばた材１７に型枠保持具２０を梁３の延びる方向に所定間隔で載置する。型枠保持具２０は、第１及び第２の垂直枠３２，３４が下向きとなるように配置していく。このとき、型枠保持具２０は、垂直枠３２，３４の間隔が、形成しようとする型枠の側板５，６の間隔よりも広くセッティングされている。
【００２３】
次に、同図（ｄ）に示すように、第１のばた材１６の上に梁３を形成するための底板４及び両側板５，６を建て込む。底板４は、ばた材１６によって支持され、側板５，６は、側圧方向について型枠保持具２０によって保持されることになるので、底板４や天井の型枠１３に釘打ち等によって仮固定されていれば良い。このため、底板４及び側板５，６の建て込み作業は、極めて容易である。
【００２４】
最後に、同図（ｅ）に示すように、型枠保持具２０の第１及び第２の垂直枠３２，３４が上向きとなるように型枠保持具２０を上下反転させると共に、両側板５，６を第１及び第２の垂直枠３２，３４で両側から挟持するように型枠保持具２０のボルト２３にナット２４を締結する。そして、底板４及び両側板５，６で囲まれた空間にコンクリートを充填する。なお、垂直枠３２，３４は、側板５，６に固定されていないが、コンクリート打設時には、型枠の内側からの圧力により側板５，６は、外側に広がる方向の力を受けるので、側板５，６への垂直枠３２，３４の締結は不要である。
【００２５】
コンクリート打設後は、ナット２４を緩めることにより、型枠保持具２０は、容易に外れる。これにより、側板５，６も容易に外れる。
【００２６】
このように、本実施形態に係る型枠保持具２０を使用したコンクリート建造物の梁形成方法によれば、側板５，６に対する垂直枠３２，３４のボルト締めが無いため、作業性が極めて良く、工数削減によるコスト低減を図ることができる。
【図面の簡単な説明】
【００２７】
【図１】本発明の一実施形態に係るコンクリート建造物の梁形成用型枠の建て込み状態を示す一部切欠した斜視図である。
【図２】同コンクリート建造物の梁形成用型枠の建て込み状態を示す断面図である。
【図３】同梁形成用の型枠保持具を示す斜視図である。
【図４（１）】同実施形態に係るコンクリート建造物の梁形成方法を工程順に示す図である。
【図４（２）】同実施形態に係るコンクリート建造物の梁形成方法を工程順に示す図である。
【図４（３）】同実施形態に係るコンクリート建造物の梁形成方法を工程順に示す図である。
【符号の説明】
【００２８】
１…コンクリート建造物、２…天井、３…梁、４…底板、５，６…側板、７〜９…せき板、１０〜１２…さん木、１３，１４…型枠、１５，３５…支柱、１６…第１のばた材、１７…第２のばた材、１８，２３…ボルト、１９，２４…ナット、２０…型枠保持具、２１…第１のＬ形部材、２２…第２のＬ形部材、２５…楔、２６…鎖、３１…第１の水平枠、３２…第１の垂直枠、３３…第２の水平枠、３４…第２の垂直枠、３６…第３のばた材。
【図１】
2006219939.tif 000003
【図２】
2006219939.tif 000004
【図３】
2006219939.tif 000005
【図４（１）】
2006219939.tif 000006
【図４（２）】
2006219939.tif 000007
【図４（３）】
2006219939.tif 000008